(57)【要約】      （修正有）【課題】非常に簡単な構成で、文字盤の面が平面に対して傾いたり回転したりしても、文字盤上の特定文字の位置が常に一定な位置で静止できる。【解決手段】指針部材を駆動する駆動軸と、この駆動軸の外周に文字盤１０を固定する固定軸９とを有するムーブメント７を備える時計装置であって、前記文字盤１０が水平面に対して傾斜することに応じて、文字盤１０上の特定文字が水平面と傾斜面とで決定される特定静止位置で釣り合うように前記固定軸９を回転させて静止させる調整部材１５を備えることを特徴とする。【選択図】図１Ａ
2011017698.tif 000002
【特許請求の範囲】
【請求項１】
指針部材を駆動する駆動軸と、この駆動軸の外周に文字盤を固定する固定軸とを有するムーブメントを備える時計装置であって、
前記ムーブメントの固定軸を回転自在に支持し、さらに、前記ムーブメントの重心が前記固定軸から外れた位置となるように構成したことを特徴とする時計装置。
【請求項２】
指針部材を駆動する駆動軸と、この駆動軸の外周に文字盤を固定する固定軸とを有するムーブメントを備え、前記ムーブメントの固定軸を回転自在に支持し、さらに、前記ムーブメントの重心が前記固定軸から外れた位置となるように構成した時計装置と、
前記時計装置の背面に突起部材を設け、
さらに、当該突起部材を回転自在に支持する支持部材と、
前記支持部材を支持する基台とを備える基台ユニットとを設けたことを特徴とする時計システム。
【請求項３】
前記支持部材は、前記突起部材と係合する切り欠き板を平面に対して所定の角度で固着可能とする固着部材を備えることを特徴とする請求項２記載の時計システム。
【発明の詳細な説明】
【技術分野】
【０００１】  本発明は、文字盤が回転自在な時計装置および時計システムに関するものである。
【背景技術】
【０００２】  従来、掛け時計といった、比較的大型の時計装置は、背面側の穴欠き部に壁側のフック材をかけ入れて、壁面に対して固定して使用するの一般的である。
また、置き時計といった比較的小さな時計装置は、底部側に指示部材を設けて、平面に対して立ち上げた状態で使用するものが一般的である。
このように従来の時計装置は、時計装置を購入した使用者が掛け時計であれば、静止した状態で、文字盤で基準となる数字（１２時）が垂直方向に配置されるように位置決めする。そして、文字盤は、地震や突発的な振動が発生し場合、最初に位置決めした位置から傾いてしまう場合がある。【０００３】  このような場合、使用者が手動でもう一度正常な位置へ直す作業が必要となる。
これは、時計の文字盤の数字が整然とした位置からずれると、視認性が低下し、違和感を持つからである。
なお、下記特許文献１には、文字盤を回転可能に支持する時計装置が開示されているが、あくまでも手動または電動により文字盤をある制限された範囲で回転して支持できるに留まるものである。
【先行技術文献】
【特許文献】
【０００４】
【特許文献１】  特開１１−２８１７６６号公報
【発明の概要】
【発明が解決しようとする課題】
【０００５】  また、置き時計といわれる時計装置であって、小型のものも同様の理由で文字盤が勝手に動くことを前提とするような時計装置は一般的な需要者が手にすることは少ない。
ところが、時計自体の外形や、色使いといったデザイン要素が付加される時計装置では、上記のように文字盤を固定した位置にするという構成が、斬新な発想を阻害し、ごく限られた範疇で、時計装置の外観等をデザインあるいは設計しなければならず、新たな購買意欲を刺激するような時計装置を需要者に提供することは難しいといった課題が指摘されていた。【０００６】  つまり、文字盤が回転しないという構成が、時計デザインの新たな創作意欲を失望させ、固定観念にとらわれた商品しか開発できない要因となっていた。
ただし、文字盤が回転可能な構成だけでは、時刻の確認を行う使用者は、静止文字盤を凝視しなければならず、視覚的な負担が増えてしまい、時計本来の機能すらままならなくなる。【０００７】  したがって、文字盤を回転可能とするという構成だけでは、時計としての機能を果たせない。
そこで、本出願人は、時計装置を構成する必要な部材を利用した新たな時計装置を創作するに至った。つまり、電気的に文字盤の軸を駆動するような発想ではなく、もっとシンプルな機械的な構成を備えた新たな時計装置を開発した。【０００８】  なお、上記特許文献１は、文字盤を回転可能に支持する構成が開示されているが、時計装置が平面に置かれる場合に発生する傾きに適応して文字盤が自在に回転させるという技術的思想も示唆も開示されたものではない、これは、特許文献１の課題から本願発明のような構成を意図したものでないことは明白である。【０００９】  本発明は、上記の課題を解決するためになされたもので、本発明の目的は、非常に簡単な構成で、文字盤の面が平面に対して傾いたり回転したりしても、文字盤上の特定文字の位置が常に一定な位置で静止できる時計装置を提供することである。【００１０】  また、他の発明は、時計装置と一体として使用できる基台ユニットであって、時計装置の全面を平面に対して所定の角度をもって回転自在に支持することで、ユーザが見やすい角度で時計装置を回転しても文字盤上の特定文字の位置が常に一定な位置で静止できる時計システムを提供することである。
【課題を解決するための手段】
【００１１】  上記目的を達成する本発明の時計装置は以下に示す構成を備える。
指針部材を駆動する駆動軸と、この駆動軸の外周に文字盤を固定する固定軸とを有するムーブメントを備える時計装置であって、
前記ムーブメントの固定軸を回転自在に支持し、さらに、前記ムーブメントの重心が前記固定軸から外れた位置となるように構成したことを特徴とする。【００１２】  他の発明は、指針部材を駆動する駆動軸と、この駆動軸の外周に文字盤を固定する固定軸とを有するムーブメントを備える時計装置であって、前記文字盤が水平面に対して傾斜することに応じて、文字盤上の特定文字が水平面と傾斜面とで決定される特定静止位置で釣り合うように前記固定軸を回転させて静止させる調整部材を備えることを特徴とする。【００１３】  他の発明は、指針部材を駆動する駆動軸と、この駆動軸の外周に文字盤を固定する固定軸とを有するムーブメントを備える時計装置であって、前記文字盤が水平面に対して傾斜することに応じて、文字盤上の特定文字が水平面と傾斜面とで決定される特定静止位置で釣り合うように前記固定軸を回転させて静止させる調整部材を前記固定軸に対して貫通するように設けたことを特徴とする。【００１４】  他の発明は、指針部材を駆動する駆動軸と、この駆動軸の外周に文字盤を固定する固定軸とを有するムーブメントを備える時計装置であって、文字盤上の特定文字が前記ムーブメントの自重で釣り合う特定位置に配置されるように前記文字盤を前記固定軸に固定し、前記文字盤が水平面に対して傾斜することに応じて、文字盤上の特定文字が水平面と傾斜面とで決定される特定静止位置で釣り合うように前記固定軸を回転させて静止させる調整部材を前記固定軸に対して貫通するように設けたことを特徴とする。【００１５】  他の発明は、上記特徴的構成を備える時計装置の電池ユニット側の面に回転軸を設け、当該回転軸を受ける軸受け部材を備える基台ユニットを備えることを特徴とする。
上記いずれかの発明において、前記ムーブメントは、電池ユニットを備え、前記自重は前記電池ユニットに電池が装着された状態で決定されることを特徴とする。
上記いずれかの発明において、消灯時に前記文字盤の背面側から蓄光した光を発光する蓄光部材を前記固定軸に固定した備えことを特徴とする。
上記いずれかの発明において、蓄光部材は、異なる波長の光を発光するための複数の蓄光シートを所定厚の透明板の両面に貼り合わせてなることを特徴とする。
上記いずれかの発明において、前記文字盤は時刻を指標する指針板で構成し、前記蓄光部材が発光する光を前記指針板の背面から投影することを特徴とする。
上記いずれかの発明において、前記調整部材は、ベアリング部材であることを特徴とする。
【発明の効果】
【００１６】  本発明によれば、非常に簡単な構成で、文字盤の面が平面に対して傾いたり回転したりしても、文字盤上の特定文字の位置が常に一定な位置で静止できる。
また、上記特徴的構成を備える時計装置の電池ユニット側の面を平面に対してユーザが意図する角度をもって回転軸を基台ユニットの軸受け部材に支持させてことができる。
また、デザイナーや開発者が新たなデザイン要素を付加した斬新な時計装置および時計システムを開発する意欲を増進できる。
【図面の簡単な説明】
【００１７】
【図１Ａ】  本実施形態を示す時計装置の構成を説明する図である。
【図１Ｂ】  図１Ａに示した時計装置の要部組み立て状態を概略的に示した断面図である。
【図１Ｃ】  本実施形態を示す時計装置の前面側と背面側とを示す図である。
【図１Ｄ】  本実施形態を示す時計装置の組み立て状態を示す斜視図である。
【図１Ｅ】  本実施形態を示す時計装置の鉄材に対する支持機能を説明する要部取り付け部材の断面図である。
【図２】  図１Ａに示した時計装置の文字盤の静止状態を説明する図である。
【図３】  図１Ａに示した時計装置の文字盤の静止状態を説明する図である。
【図４】  図１Ａに示した時計装置の文字盤の静止状態を説明する図である。
【図５】  本実施形態を示す時計装置の構成を説明する断面図である。
【図６Ａ】  本実施形態の時計システムの構成を説明する図である。
【図６Ｂ】  本実施形態の時計システムの構成を説明する図である。
【図６Ｃ】  本実施形態の時計システムの構成を説明する図である。
【発明を実施するための形態】
【００１８】  次に本発明を実施するための最良の形態について図面を参照して説明する。
〔第１実施形態〕
図１Ａは、本実施形態を示す時計装置の構成を説明する図である。本例は、電池ユニットに装着される電池で駆動する時計装置を例とするが、電池を装着することで、文字盤を固着する固定軸を回転可能な構造を備え、時計装置の文字盤が形成する面と、時計が接触する平面との間に傾きが発生した場合に、ムーブメントの重心が移動して、重心が釣り合う位置に文字盤が回動自在となるように支持される構成であればよい。
【００１９】  そこで、本実施形態では、ムーブメントが備える電池ユニットに電池が装着された場合、文字盤の固定軸を基準として重心が釣り合うように回転して静止する機構について説明する。本実施形態では、ムーブメントは、時計装置の傾きが変わることで固定軸を支持する調整部材を介してモーメント力が発生し、かつ、重力で釣り合う位置で静止する機能を果たしている。
図１Ａにおいて、１、２は透明板であるアクリル板で、開口側を互いに向かい合うように貼り合わせた状態で、かつ、厚みの薄い透明のアクリル板１２、１３、両面畜光処理基盤１４の穴を介して固着ボルト３、４がアクリル板１のねじ溝にそって連通し、アクリル板２側のねじ５、６により固着される。なお、本時計装置の背面となるアクリル板１３は、ムーブメント７内の電池を交換可能とするため、穴あきパネルとして構成した場合を示すが、密閉型のパネルとして構成してもよい。これにより、前者の構成ではユーザが電池交換を容易に行え、後者の構成では、耐衝撃性を向上させるとともに、電池ユニットに粉塵が介入してしまうことを防止する機能を高めることができる。
【００２０】  なお、ムーブメント７は、図示しない短針ギヤ、長針ギヤ、秒針ギヤが内蔵され、短針ギヤ、長針ギヤ、秒針ギヤそれぞれに対応する軸部材がギヤ機構を介し同軸上に差し込まれることにより配置されて固定される構造となっている。なお、短針ギヤ、長針ギヤ、秒針ギヤそれぞれに対応する軸部材は、ムーブメント７とキットとして販売されている。
【００２１】  ここで、固定軸９には、雄ねじとして機能するためのねじ溝があらかじめ形成されている。そして、当該雄ねじに対応する雌ねじがムーブメント７とセットである固定ナット１１である。
【００２２】  まず、文字盤１０を固定ナット１１に固着する方法を説明する。文字盤１０のねじ穴に沿って、固定ナット１１の凸部を貫通させて、固定ナット１１のねじ山に文字盤１０を当接した状態で、固定金具１７をねじ山側に挿入すると、固定金具１７の内輪側に突出した複数の突起部材が押圧方向にねじ曲げられる。これにより、固定ナット１１に文字盤が固着される。
【００２３】  次に、蓄光シート１４Ａ、１４Ｂが両面側から張り合わされた両面蓄光処理基盤１４に調整部材１５を固着する方法について説明する。
両面蓄光処理基盤１４には、調整部材１５を貫通するための同心穴が構成されており、円凸形状の調整部材１５が固定軸９方向に向かうように貫通した状態で、円凸形状の外縁側が両面蓄光処理基盤１４に押し当てられる。ここで、上述と同様に、固定金具１８を円凸形状の調整部材１５に圧着されると、調整部材１５の外周側に固定金具の内輪側に突出した複数の突起部材が押圧方向にねじ曲げられる。これにより、調整部材１５に両面蓄光処理基盤１４が固着される。
【００２４】  このように文字盤１０と両面蓄光処理基盤１４との部材が揃ったら、両面蓄光処理基盤１４、文字盤１０の中心に形成される穴に沿って、ムーブメント７の固定軸９を貫通させ、固定ナット１１を回転させることで、文字盤１０と両面蓄光処理基盤１４とが同軸上に固着させる。
【００２５】  なお、この状態においても、文字盤１０自体は、固定ナット１１の外周上である程度の摺動抵抗をもって回転可能な状態である。これは、後述する文字盤１０の特定文字を位置決めするためのである。なお、文字盤１０の水平位置を初期設定する場合には、以下の操作を行う。
【００２６】  まず、ムーブメント７の規格に合う電池、例えば単三型電池をセットする。ここで、電池は、ムーブメント７の重心移動を促す機能を兼ねている。
次に、両面蓄光処理基盤１４を水平鉛直に保持し、ムーブメント７が調整部材１５を介して静止するのを待つ。そして、両面蓄光処理基盤１４の回転が静止したら、両面蓄光処理基盤１４とムーブメントとを静止した状態で保持する。この状態で文字盤１０を概ね水平になるように回す。これにより、文字盤１０の水平位置を初期設定することができる。こうすることで、文字盤１０とムーブメント７との載置面との角度に応じて回転する場合に、同心円軌道がぶれずに済み、視認性が高まる。なお、文字盤１０を真横からみた場合に、所定の幅に収まれば、実用上その制度を追求する必要はない。
【００２７】  ２２、２３はアクリル板１２、１３が外形よりもやや短い同形の部材の透明板で、内径の厚み部分に特定の色が付されている。本実施形態では、透明板２２はブルーの色が内径の厚み部分に付され、透明板２３はグリーンの色が内径の厚み部分に付されている。
【００２８】  これにより、時計を前面側から視た場合に、視る角度で長針１９、短針２０が視る方向によってブルーまたはグリーンが反映された状態で見えるように時計の視認性を色的に変化させることができる。なお、色については、上記ブルー、グリーン以外のものを使用してもよい。
【００２９】  また、上記視認性を向上させるためには、透明板２２、２３を外側から挟み込むもう１枚の透明板であって、透明板２２、２３のように中心がくりぬかれていないものを挟み込むことで、挟み込まない場合に比べて入射する光の光路が異なるため、視認性効果が向上する。
１５は例えばベアリング部材で構成される調整部材で、中空部に前記固定軸９が連通する口径を有する。また、調整部材１５は、固定軸９に文字盤１０を固着ナット１１で固着する際に、板状の固定金具１８を挟み込むことで、所定位置に係止されるように固定される。
【００３０】  これにより、固定軸９が調整部材１５を貫通し、該調整部材１５を介して回動自在に固定される。ただし、文字盤１０を固着する前に、ムーブメント７の電池ユニットに電池を装着することで、ムーブメント７の重心が移動して釣り合って静止する位置を確認し、固定軸９に固着するため位置決め情報を付けておく。その後、文字盤１０の特定文字列、本実施形態では、上記位置決め情報に従い、１２時の数字に対応する鉛直方向が上記静止した位置とが一致するように文字盤１０を位置決めして固定する。
【００３１】  図１Ｂは、図１Ａに示した時計装置の要部組み立て状態を概略的に示した断面図である。
図１Ｂにおいて、１４は畜光シートを張り合わせるための両面畜光処理基盤で、当該両面畜光処理基盤１４の両面には、その外形に合わせて切り出された畜光シート１４Ａ、１４Ｂとがはり合わされている。これにより、室内で電灯による光を畜光した状態で、電灯が消灯された後、暗闇の状態でも時計の前面側に光を発光するため、時計の位置を速やかに認知することができる。なお、発光自体の処理は電池駆動ではないため、非常にエコロジーである。
【００３２】  また、固定軸９が調整部材１５により回動自在に支持された状態で、文字盤１０上の特定文字がムーブメント７の自重で釣り合う特定位置に配置されるように文字盤１０を固定軸９に位置決めされて固定される。
【００３３】  両面畜光処理基盤１４の内径側に形成された円形上の穴にはムーブメント７の固定軸９が貫通する際に、固定金具１８により両面畜光処理基盤１４が調整部材１５の外形にそって固着される。なお、固定金具１８はリング状であって、内径側に歯部が数個設けられており、その歯が固着時に調整部材１５の外形に折り曲がるように固着される。
【００３４】  なお、調整部材１５を貫通したねじ切りされた固定軸９は、ワッシャ１６、固定金具１７を介して、文字盤１０を貫通し、ムーブメント７にあらかじめセットされている固定ナット１１により締め付けられる。これにより、文字盤１０と両面畜光処理基盤１４が図１Ａに示す位置関係を満たす状態で、すなわち、固定軸９が調整部材１５に回転自在に支持された状態となる。なお、固定軸９を回転自在に支持するための機構は、上述した例に限定されるものではなく、調整部材１５の機構により様々な変形が可能である。例えば調整部材１５がベアリング機構以外で構成される場合には、固着方法もその部材に合わせて考慮すればよい。
【００３５】  なお、調整部材１５をベアリング機構としない例としては、径が異なる中空の同極磁石リングを組み合わせたリング部材で構成することも可能である。これにより、固定軸を回転自在に支持する機構を簡略することが可能である。
【００３６】  ここで、両面蓄光処理基盤１４について、その機能を説明する。
本実施形態では、通常文字盤の文字にのみ使用される蓄光材料を両面蓄光処理基盤１４に使用し、透明型の文字盤１０および本体の照明用に配置している。なお、発光に必要なのは蓄えた光エネルギーのみであり、電池等は必要としていないため非常にエコロジーである。
【００３７】  また、本実施形態では、本体側（文字盤１０側）にブルー発光、背面側にグリーン発光とするように構成し、夜間（暗闇）においても本時計装置を視認可能としている。蓄光は、日中の太陽光や電灯の灯りを蓄え長時間発光するため、ある程度の受光量があれば、概ね一晩中は暗がりでも時計の文字盤の長針、短針の位置、つまり時間を視認可能である。また、その特性において、突然の夜間停電あるいは災害時においても、時計機能のみならず、夜間の中でも１つの目標物として機能する。
【００３８】  さらに、発光特性や高設置自由度特性は災害時においても、脱出経路の目標や、建物全体が半壊したり、傾いたりした場合でも、天地判断の指針として機能し、災害の混乱により、空間感覚が麻痺して、天地がいずれであるかさえ判別できないような状況に陥っても、本時計装置させ確認できれば、天地方向を確実に把握して、窓や出口方向を誤認することを回避することが可能となる。
【００３９】  したがって、本実施形態は、時計装置の使用態様として、正立状態で回転する使用態様と、斜めに傾けて載置する使用態様との例を示すが、使用態様は、これに限定されるものではなく、後述する実施形態で時計システムとして構成する場合について説明する。
【００４０】  なお、図１Ｄの斜視図に、本実施形態を示す時計装置のアクリル板の組み上げ状態の一例を示す。これにより、固定軸９が両面畜光処理基盤１４を貫通すること、並びに各アクリル板が４つのねじ穴に対向して組み立てられることが明確となっている。
【００４１】  また、本実施形態では、図１Ｅに示すようにアクリル板を固着するボルト材に磁石リングを介在させることで、時計装置を鉄材等に据え置くことも可能に構成されている。
なお、図１Ｅの（Ａ）が磁石を介在させてアクリル板を固着する例であり、図１Ｅの（Ｂ）が磁石を介在させずにアクリル板を固着する例である。なお、磁石による鉄材に対する支持機能を持たせるかどうかについては、オプションとしてもよい。また、磁石の強さは、時計装置の重量に応じて適切なものを採用する。また、磁石に代えて吸着部材を取り外し自在に構成してもよい。
【００４２】  図１Ｅにおいて、ＳＰ１、ＳＰ２はスペーサで、ねじ溝が切られたスペーサＳＰ２の内径側を固着ボルトＶ２が回転して進み、他方の固着ボルトＶ１はスペーサＳＰ１を内通して、スペーサＳＰ２のねじ溝に沿って回転して進み、２つの分離したボルトＶ１、Ｖ２が締め付け合うことで、アクリル板が固着される。
【００４３】  なお、ボルト材を分離せずに１本で構成することも可能であるが、アクリル板の固着例として２つの分離されたボルト材をスペーサを介して締め付ける場合を説明した。
次に、本実施形態の時計装置の固定軸９が回転自在に支持されることによる、文字盤の回転状態について詳述する。
本実施形態の時計装置では、何ら電気的な機構を設けることなく、ムーブメント７の背面側を時計が載置される平面に対して傾斜する状態に静止する際に、ムーブメント７の重心が釣り合う位置に自ら回転して静止する。その際、文字盤１０も固定軸９が調整部材１５を介して回転するため、常に文字盤１０の数字、本実施形態では、１２時が示す延長方向が上向きの状態で釣り合いがとれて静止する。
【００４４】  このように本実施形態に示す時計装置は、指針部材を駆動する駆動軸８と、この駆動軸８の外周に文字盤１０を固定する固定軸９とを有するムーブメント７を備える時計装置において、固定軸９を回転自在に支持すること、並びにムーブメント７の重心が固定軸の中心から外れた位置としている構成を特徴としている。
【００４５】  これにより、文字盤１０上の特定文字（数字の１２）がムーブメント７の重心が釣り合う特定位置に配置されるように文字盤１０を固定軸９に固定し、固定軸９が調整部材１５に連通しているため、文字盤１０が水平面に対して傾斜することに応じて、ムーブメント７の固定軸９は、調整部材１５を介して文字盤１０上の特定文字が水平面と傾斜面とで決定される特定静止位置で釣り合うように自ら回転して重心が釣り合う位置で静止する。このとき、文字盤１０は、常に数字１２が鉛直方向を向いて静止する。
【００４６】  図１Ｃは、本実施形態を示す時計装置の前面側と背面側とを示す図である。
図１Ｃの（Ａ）は前面側から視た状態を示し、両面蓄光処理基盤１４には、文字盤水平調整のための文字盤調整孔Ｈ１、Ｈ２がそれぞれ２つ設けられている。これは、電池の重量バランスに個体差があるため、文字盤１０の回転状態が位置決めした方向からずれた位置で文字盤が静止してしまうことがあるからである。
【００４７】  そこで、本実施形態では、両面蓄光処理基盤１４に文字盤１０のスリットに対応付けた文字盤調整孔Ｈ１、Ｈ２が形成されている。
両面蓄光処理基盤１４に設けられる文字盤調整孔Ｈ１、Ｈ２は、電池の重量バランスの個体差を吸収するために使用する。
具体的には、ムーブメント７の背面の時刻調整ノブを回転させ、長短針が重る１２時にセットする。この状態において、すなわち、図１Ｃの（Ｂ）に示すように背面側から文字盤固定ピンを挿入して文字盤１２時のスリット部分を貫通させ、文字盤１０、長短針を固定する。次に、ムーブメント７を回転させ、文字盤水平位置を調整する。回転させる方向によって、２本のスリットを使い分けることで、文字盤水平位置を微調整することが可能となる。
【００４８】  なお、見栄え上どうしてもムーブメント自身も水平にしたい場合は、ムーブメント下部にバランサを取り付けて再調整すればよい。なお、上記文字盤水平調整機構は、適宜設けるものとする。
【００４９】  図１Ｃの（Ｂ）は背面側でムーブメント７の電池ユニット７Ａに電池７Ｂをセットした状態を示す。したがって、文字盤調整孔Ｈ２が隠蔽された状態である。
図２、図３は、図１Ａに示した時計装置の文字盤の静止状態を説明する図である。本実施形態では、アクリル板の４隅の角が切り落とされた形状を備えるため、各切り落とされた面で本体を載置可能な構成となっている。つまり、時計装置には、４つの短辺と、４つの長辺を備えた多角形柱構造を備える。
【００５０】  したがって、時計装置は、それぞれの短辺または長辺を基準として平面に載置可能に構成されている。なお、長短辺の数は、本実施形態により、限定されるものではない。また、装置全体の形状は、デザイナーが自由に形成でき、本実施形態に示す角柱形状としたり、角錐形状とするなど、いろいろ変形した形状で外形を構成することが可能である。
【００５１】  図２がアクリル板の長辺が平面に平行となるように載置した状態に対応し、図３がアクリル板の短辺が平面に平行となるように載置した状態に対応する。
例えば図２に示す状態で載置した後、図３に示すように短辺を基準面として平面に載置した場合でも、ムーブメント７は、上述のように調整部材１５を介して、固定軸９が自重で回転し、重心が釣り合う位置、すなわち、文字盤１０の数字、１２時が示す位置が平面に対して延長となる位置に静止する。なお、図２，図３は、時計装置本体を載置面に対して直交する態様で立てかけている状態であり、本体を載置面に対して回転した際の本時計装置における文字盤の回転状態を示したものである。
【００５２】  つまり、本時計装置は、上記のように回転によるものであっても、文字盤が回転して静止する機能を備えている。さらに、本発明の時計装置は、その特徴的構成により、載置面に対して、ムーブメント側（背面）と載置面とが平行とならず、ある角度をもって載置される場合に、本時計装置の中心の移動を捉えて回転動作が誘起されて文字盤が回転して重心がつり合う位置で静止するという特徴的な挙動を示す。
【００５３】  また、位置決めされた文字板は、本実施形態に示すように、１２時方向を上向きとするように必ず静止するので、購入者が思い思いの立てかけ方で平面に角度をもって載置しても、１２時方向が真上方向とするように指し示す状態で静止する。これは、時計装置の正立ユニットにより、縦、横、斜めの区別がないことを意味する（高設置自由度特性と呼ぶ）。
【００５４】  図４は、図１Ａに示した時計装置の文字盤の静止状態を説明する図である。本例は、時計装置が平面に対して任意の角度で傾斜した三角基台４１に静止した状態に対応する。この時、固定軸９は平面に対して平行とはならず、傾斜角に対応した仰角をもって平面に載置される。なお、三角基台４１には、段差が形成されているため、その凹部にアクリル板１３が係止された状態で静止する。
この時、時計装置は上述した構成を備えているため、やはり固定軸９が調整部材１５を介して、自重で決定される重心がつり合う位置まで回転して静止する。このときも、文字盤１０の数字、１２時が示す位置が平面に対して傾斜しても、なお延長方向を示す位置に静止する。
【００５５】  なお、ムーブメントに強制的に重心変動が発生するように重りが装着できる構造とするものであれば、電池を重心移動の部材とする本実施形態に限定されるものではない。
〔第２実施形態〕
上記第１実施形態では、文字盤がアクリル板１、２に対して平行な位置関係をもって配置されるように固着する例を説明したが、文字盤がアクリル板１、２に対してある角度をもって配置される場合にも、本発明を適用できる。
【００５６】  図５は、本実施形態を示す時計装置の構成を説明する断面図である。
本例は、文字盤がアクリル板１、２に対してある角度をもって配置される例である。
〔第３実施形態〕
上記第１実施形態では、文字盤がアクリル板１、２に対して平行な位置関係をもって配置されるように固着する例を説明したが、文字盤が平面とならず、デザイナーが自由な発想で、例えば奥行きのある文字盤とした例である。
【００５７】  つまり、既存のムーブメントが備える駆動軸や固定軸の長さを加工して延長することで、いろんな形状の文字盤、例えば奥行きのある文字盤をも調整部材を介して回転することが可能となる。
【００５８】  これにより、デザイナーは、自由な発想で斬新な時計を創作することができる。
〔第４実施形態〕
上記実施形態では、調整部材を介してムーブメントの固定軸が回転する時計装置の例を説明したが、時計装置を夜間、消灯時において、蓄光部材が蓄光した光を放射することで、何ら電池からの電力ではなく、目覚めた場合の指標を表示できる表示部材を組み込んだ例である。
【００５９】  本実施形態では、発光部材として、異なる波長の光を発光する蓄光シートをアクリル板に貼り合わせた例で、見る位置によって、異なる色で指標を確認できるように構成されている。つまり、異なる波長の光を発光するための複数の蓄光シートを所定厚の透明板の両面に貼り合わせて構成されている。さらに、本実施形態では、文字盤を、時刻を指標する指針板で構成し、蓄光部材が発光する光を指針板の背面から投影することが可能に構成されている。
【００６０】〔第５実施形態〕
上記実施形態では、時計装置を平面に載置する場合について説明したが、基台ユニットと組み合わせた時計システムとして構成することで、時計装置本体が平面に載置することなく、基台ユニットに支持することも可能である。
【００６１】以下、その実施形態について説明する。
図６Ａ〜図６Ｃは、本実施形態の時計システムの構成を説明する図である。
図６Ａは時計装置本体の背面側を示し、図６Ｂは基台ユニット示し、図６Ｃは時計装置を基台ユニットに支持させた状態を示す。
図６Ｂにおいて、６００は基台で、例えばアクリル円盤で構成され、所定の厚みと大きさを持つ。なお、円盤の面積は、時計装置６１０の自重を支える表面積以上であればよい。６０１は鉛直棒で、一端が基台６００に固着され、他方は、水平棒６０２とジョイント部材６０３でねじ締めして固着される。
【００６２】水平棒６０２の円柱は、背面突起部材６０４と係合する溝板６０５がジョイント部材６０６で固着される。なお、溝板６０５の切り欠き部６０７は、背面突起部材６０４の軸の直径よりもやや大きめの幅をもつものであればよい。つまり、背面突起部材６０４が溝板６０５の切り欠き部６０７に係合して支持される構造であれば、本切り欠き部の形状に限定されるものではない。
【００６３】なお、ジョイント部材６０６は、水平棒６０２に対して回転自在に構成されているため、溝板６０５を水平面に対して、ユーザが好みの角度、つまり斜めにした状態で、つまり、図６Ｃに示すように、かつ、時計装置を斜め向きで傾斜した状態で時計装置を回転自在に支持することができる。なお、各ジョイント部材は、鉛直棒、水平棒を外側からねじ締め可能に構成されているため、高さや角度を自在に調整できる。
【００６４】  これにより、時計装置と基台ユニットで時計システムを構成し、時計装置を空間配置することが可能となり、時計装置の利用の態様をさらに増やすことができる。また、本時計装置の筐体を形成する際に切り出されるアクリル板を利用することが可能となるため、時計システムを安価に構成することも可能である。
【００６５】  なお、本実施形態では、背面突起部材６０４は、一端が時計装置の背面にねじ切り孔が設けられているため、簡単に取り付けることができる。
本時計システムは、第１実施形態に示した時計装置の背面に突起部材を設け、さらに、当該突起部材を回転自在に支持する支持部材と、支持部材を支持する基台とを備える基台ユニットとを設けたことを特徴とする。
【００６６】  なお、支持部材は、時計装置に固着される突起部材と係合する切り欠き板を平面に対して所定の角度で固着可能とする固着部材を備える。なお、支持部材は、鉛直棒と垂直棒とが上述したようにジョイント部材で固着できるように構成されている。また、本実施形態では、ジョイント部材がねじ切りされた各棒にねじを締め付けることで、横棒に溝板を平面に対して所定の角度で固着できる。なお、所定の角度とは、時計装置を可動できる範囲で、ユーザの視認環境で決定される。
【００６７】  また、支持部材は、本実施形態に示すような横棒と縦棒との組み合わせに限定されるものではなく、例えば基台に鉛直方向、あるいは、あらかじめ水平面に対して斜めとなる方向に突出する部材を設ける構成としてもよい。要は、時計装置本体を平面に対して接触する状態とはならない状態で回転自在に支持できるものであればよい。
【００６８】  したがって、屋内の壁や柱に上記突起部材を支持できる部材のみを固着する構成としてもよい。ただし、その場合には、時計装置の背面側が壁や柱とほぼ平行となる状態で回転するものとなる。
【００６９】〔その他の実施形態〕
なお、上記実施形態では、ムーブメントに装着する電池により、ムーブメント全体の重心が移動することで、文字盤を回転させる場合について説明したが、ムーブメントに重心をずらすバランサとして機能させる部材をムーブメントの周辺に設ける構成してもよい。つまり、ムーブメントの重心をずらす部材をムーブメントの外部側に設けることも本発明の適用範囲である。
【００７０】  さらに、本実施形態では、置き時計について説明したが、目覚まし時計や、その他の電子機能（電子オルゴール、目覚まし音を発生する電子音発生装置、ラジオ装置）や機械的な機能が付加された時計装置に適用してもよい。
【００７１】  さらに、蓄光シートに代えて、発光部材を内蔵して、載置させる時の平面と文字盤との角度に応じて、文字盤の前面側に異なる波長の光を発光させる構成としてもよい。
また、時計装置は、小型のムーブメントを内蔵する腕時計について、本発明を適用することも可能である。
さらに、文字盤が傾いた時に、重心が釣り合う位置において、文字盤の特定文字列をユーザが好みに応じて可変できるように構成してもよい。
また、文字盤上にスリットを設け、さらに、文字盤を着脱して交換できるように構成して、上記スリットにユーザが作成した文字盤を描いた円盤シート、その他形状のシートを差し替え可能とすることで、ユーザの好みの文字盤としてもよい。
【００７２】  さらに、本実施形態では、文字盤が回転自在に指示する時計装置について説明したが、ユーザが回転を制止して使用したい場合もある。そこで、回転を任意の角度で一時的に制止した状態に保持させる部材を設けて、この部材をユーザがオンオフするスイッチに連動させることで、ユーザが文字盤の回転を制止したり、文字盤の回転を自由にしたりできるように構成してもよい。
【００７３】  その際、スイッチ部材にユーザが作成した、あるいはあらかじめ専用に作成されたスイッチ部材を装着可能とすることで、キャラクタ等をモチーフとしたインパクトのあるスイッチを付加できるように構成してもよい。また、スイッチは、内部のソレノイドを電気的に作動させるように構成すれば、外部のリモコン装置からの指示で文字盤の回転を可動状態または制止状態へ移行させることが可能となる。
【００７４】  さらに、時計装置を球状の透明なボールに収容して、ボールをユーザが３次元的に可動可能に収容することで、ユーザがそのボールを回転させることで、文字盤を自在に回転させる構成としてもよい。なお、組み込む物としては、置物や電子機器、例えばＣＤ、ＤＶＤプレーヤーが好例である。
【００７５】  さらには、空間を移動する乗り物、航空機、自動車、二輪車、自転車に透明なキューブ内に本装置を設けて、キューブの周囲に設ける係合部材を介して取り付けられる被機器に着脱可能としてもよい。
【００７６】  本発明は上記実施形態に限定されるものではなく、本発明の趣旨に基づき種々の変形（各実施形態の有機的な組み合わせを含む）が可能であり、それらを本発明の範囲から除外するものではない。
【符号の説明】
【００７７】１  本体
２  文字盤
３  駆動ユニット（ムーブメント）
１５  調整部材（ベアリング機構）
【図１Ａ】
2011017698.tif 000003
【図１Ｂ】
2011017698.tif 000004
【図１Ｃ】
2011017698.tif 000005
【図１Ｄ】
2011017698.tif 000006
【図１Ｅ】
2011017698.tif 000007
【図２】
2011017698.tif 000008
【図３】
2011017698.tif 000009
【図４】
2011017698.tif 000010
【図５】
2011017698.tif 000011
【図６Ａ】
2011017698.tif 000012
【図６Ｂ】
2011017698.tif 000013
【図６Ｃ】
2011017698.tif 000014